(57)【特許請求の範囲】
【請求項１】
光源と、前記光源の点灯を制御する制御部とを備え、
前記制御部は、常用電源からの電力供給が遮断されると非常用電源から電力供給を受けて前記光源を点灯させ、且つ、煙を感知する煙感知部から煙感知信号が入力されると前記光源を点灯させ、
前記煙感知部が煙を感知せずに前記常用電源からの電力供給が遮断された場合の前記光源からの点灯光と、前記煙感知部が煙を感知した場合の前記光源からの点灯光とを異ならせ、
前記光源は、前記常用電源からの電力供給が遮断されると演色性の高い色の光を照射する第１の発光ダイオードと、前記煙感知部から煙感知信号が入力されると透過性の高い色の光を照射する第２の発光ダイオードとを備えており、
前記制御部は、さらに、前記煙感知部が所定の濃度未満の煙を感知した時に前記第２の発光ダイオードだけを点灯させ、前記煙感知部が所定の濃度以上の煙を感知した時に前記第２の発光ダイオードと前記第１の発光ダイオードの両方を点灯させることを特徴とする非常用照明器具。
【発明の詳細な説明】
【技術分野】
【０００１】
本発明は、非常用照明器具に関するものである。
【背景技術】
【０００２】
従来、停電時に点灯する点灯光と、停電中に火災報知部からの火災信号があった時に点灯する点灯光とが異なる非常用照明器具があった（特許文献１参照）。この非常用照明器具では、バッテリーからの電力供給により非常点灯していた。
【先行技術文献】
【特許文献】
【０００３】
【特許文献１】特開昭６０−７４３８６号公報
【発明の概要】
【発明が解決しようとする課題】
【０００４】
特許文献１に示されるような非常用照明器具は、火災等の非常時でも、常用電源の停電により電力供給が遮断されない限り、非常点灯しない。この時、一般灯が消えていて、且つ煙がまわってきた時に常用電源からの電力供給が遮断されていないと、避難経路が避難に必要な照度で照明されないため、避難者がスムーズに避難できない可能性がある。
【０００５】
本発明は、上記事由に鑑みてなされたものであり、その目的は、停電時でも煙発生時でも何れの場合でも、避難者がより安全に避難できるように避難経路を照明する非常用照明器具を提供することにある。
【課題を解決するための手段】
【０００６】
上記課題を解決するために本発明の非常用照明器具は、光源と、前記光源の点灯を制御する制御部とを備える。前記制御部は、常用電源からの電力供給が遮断されると非常用電源から電力供給を受けて前記光源を点灯させ、且つ、煙を感知する煙感知部から煙感知信号が入力されると前記光源を点灯させる。そして、非常用照明器具は、前記煙感知部が煙を感知せずに前記常用電源からの電力供給が遮断された場合の前記光源からの点灯光と、前記煙感知部が煙を感知した場合の前記光源からの点灯光とを異ならせている。前記光源は、前記常用電源からの電力供給が遮断されると演色性の高い色の光を照射する第１の発光ダイオードと、前記煙感知部から煙感知信号が入力されると透過性の高い色の光を照射する第２の発光ダイオードとを備えている。前記制御部は、さらに、前記煙感知部が所定の濃度未満の煙を感知した時に前記第２の発光ダイオードだけを点灯させ、前記煙感知部が所定の濃度以上の煙を感知した時に前記第２の発光ダイオードと前記第１の発光ダイオードの両方を点灯させることを特徴とする。
【０００７】
本願とは別の発明の非常用照明器具は、光源と、前記光源の点灯を制御する制御部とを備える。前記制御部は、常用電源からの電力供給が遮断されると非常用電源から電力供給を受けて前記光源を点灯させ、且つ、煙を感知する煙感知部から煙感知信号が入力されると前記光源を点灯させる。そして、本願とは別の発明の非常用照明器具は、前記煙感知部が煙を感知せずに前記常用電源からの電力供給が遮断された場合の前記光源からの点灯光と、前記煙感知部が煙を感知した場合の前記光源からの点灯光とを異ならせて、前記常用電源からの電力供給が遮断されるよりも先に前記煙感知部から煙感知信号が入力されると、前記制御部は前記常用電源の入力を遮断することによって非常用電源から電力供給を受けて前記光源を点灯させることを特徴とする。
【００１０】
本願とは別の発明の非常用照明器具において、前記第１グループと前記第２グループとで、各々のグループを構成する前記光源の数、及び、前記光源の光出力、のうち少なくとも何れか一方を異ならせることで、前記第１グループと前記第２グループとで光の照射方法が異なることが好ましい。
【発明の効果】
【００１３】
本発明では、停電時でも煙発生時でも何れの場合でも、避難者がより安全に避難できるように避難経路を照明することができるという効果がある。
【図面の簡単な説明】
【００１４】
【図１】（ａ）実施形態１の非常用照明器具の使用状態図で、（ｂ）は（ａ）の発光面を通路側から見た図である。
【図２】同上の非常用照明器具の回路図である。
【発明を実施するための形態】
【００１５】
以下、本発明の実施の形態を図面に基づいて説明する。
【００１６】
（実施形態１）
実施形態１の非常用照明器具Ａを図１、図２に基づいて説明する。
【００１７】
非常用照明器具Ａは、図１（ａ）に示すように、例えば通路Ｐの天井Ｒに設けられ、非常時に通路Ｐを照明する。
【００１８】
非常用照明器具Ａは、図１、図２に示すように、発光面２が通路Ｐ側に面するように天井Ｒに設置された本体１を備え、天井Ｒに設置されて煙を感知する煙感知器４と、本体１の内部に設けられた二次電池５と、常用電源６とに接続されている。
【００１９】
非常用照明器具Ａは、図１（ａ）（ｂ）に示すように、本体１の下面の発光面２に取り付けられた４つの発光ダイオード２ａと、５つ発光ダイオード２ｂと、本体１の内部に設けられた制御部３とを備える。
【００２０】
図１（ｂ）に示すように、発光面２に設けられた４つの発光ダイオード２ａから、電力供給が遮断されると点灯する第１グループが構成される。同様に、発光面２に設けられた５つの発光ダイオード２ｂから、煙感知器４が煙を感知すると点灯する第２グループが構成される。
【００２１】
発光ダイオード２ａ、２ｂは交互に配置され、その配列は３列３行である。発光ダイオード２ａ、２ｂの配列の第１列目、第２列目、第３列目の配列の順番は、それぞれ第１行目から第３行目の順に、発光ダイオード２ｂ、２ａ、２ｂと、発光ダイオード２ａ、２ｂ、２ａと、発光ダイオード２ｂ、２ａ、２ｂの順番である。尚、発光ダイオード２ａ、２ｂの配列は３列３行に限るものではなく、３列以上や２列以下、３行以上や２行以下であっても構わない。発光ダイオード２ａ、２ｂが交互に配置されることにより、第１グループの発光ダイオード２ａが分散されて配置される。同様に、第２グループの発光ダイオード２ｂも分散されて配置される。これにより、第１グループの発光ダイオード２ａ又は第２グループの発光ダイオード２ｂのうち、どちらか一方のみが点灯している時に、他方が消灯しているため、熱が分散されて発光ダイオード２ａ又は２ｂの温度上昇が緩和される。
【００２２】
第１グループの発光ダイオード２ａと、第２グループの発光ダイオード２ｂとで点灯光は異なる色であり、第１グループの発光ダイオード２ａの点灯光は演色性の高い色で、第２グループの発光ダイオード２ｂの点灯光は煙に対して透過性の高い色（例えば黄色光）である。
【００２３】
二次電池５は、例えばリチウムイオン電池やニッケル水素電池であり、配線５１を介して制御部３に接続されている。
【００２４】
煙感知器４は、煙を感知する光学式の煙感知部を備え、煙を感知すると、信号線４１を経由して制御部３に煙感知信号を送信する。
【００２５】
制御部３は、常用電源６からの電力供給がある場合には、電源ケーブル６１を経由して常用電源６からの電力を受け、配線５１を介して二次電池５を充電する。制御部３は、常用電源６からの電力供給がある場合に煙感知器４が煙を感知すると、常用電源６からの電力を受け、配線２２を介して第２グループの発光ダイオード２ｂを点灯させる。制御部３は、停電により常用電源６からの電力供給が遮断されると、二次電池５からの電力を受け、配線２１を介して第１グループの発光ダイオード２ａを点灯させる。
【００２６】
次に非常用照明器具Ａの動作の説明をする。制御部３は、停電よりも先に煙感知器４が煙を感知すると、常用電源６からの電力を受けて第２グループの発光ダイオード２ｂを点灯させる。その後、停電が起こった場合は、制御部３が、二次電池５からの電力を受けて第２グループの発光ダイオード２ｂを継続して点灯させる。
【００２７】
制御部３は、煙感知器４が煙を感知するよりも先に停電が起こると、二次電池５からの電力を受けて第１グループの発光ダイオード２ａを点灯させる。その後、煙感知器４が煙を感知した場合は、制御部３が第１グループの発光ダイオード２ａを消灯し、二次電池５からの電力を受けて第２グループの発光ダイオード２ｂのみを点灯させる。
【００２８】
また、非常用照明器具Ａでは、非常用電源として二次電池５が本体１の内部に設けられているが、二次電池５は本体１の外部に設けられてもよいし、本体１の外部に設けられた二次電池５が複数の非常用照明器具Ａの非常用電源を兼ねてもよい。その際、本体１の外部に別途設けられた充電部（図示せず）が、常用電源６からの電力供給を受けて、本体１の外部に設けられた二次電池５を充電してもよい。
【００２９】
また、煙感知器４が所定の濃度以上の煙を感知すると、制御部３が第２グループの発光ダイオード２ｂだけでなく、第１グループの発光ダイオード２ａも両方点灯させてもよい。
【００３０】
また、非常用照明器具Ａでは、停電よりも先に煙感知器４が煙を感知した場合は、制御部３が常用電源６からの電力供給を遮断し、二次電池５からの電力を受けて第２グループの発光ダイオード２ｂを点灯してもよい。
【００３１】
上述のように、非常用照明器具Ａは、光源（発光ダイオード２ａ、２ｂ）と、光源の点灯を制御する制御部３とを備える。制御部３は、常用電源６からの電力供給が遮断されると非常用電源（二次電池５）から電力供給を受けて光源を点灯させ、且つ、煙を感知する煙感知部（煙感知器４）から煙感知信号が入力されると光源を点灯させる。そして、非常用照明器具Ａは、煙感知部が煙を感知せずに常用電源６からの電力供給が遮断された場合の光源からの点灯光と、煙感知部が煙を感知した場合の光源からの点灯光とを異ならせている。
【００３２】
これにより、停電時でも火災等による煙発生時でも何れの場合でも、非常用照明器具Ａは点灯することができる。また、停電時と火災等による煙発生時とで、それぞれの場合に適した光により非常用照明器具Ａは避難経路を照明することができる。これらにより、非常用照明器具Ａは、避難者がより安全に避難できるように避難経路を照明することができる。
【００３３】
この非常用照明器具Ａにおいて、常用電源６からの電力供給が遮断されるよりも先に煙感知部から煙感知信号が入力されると、制御部３は常用電源６の入力を遮断することによって非常用電源から電力供給を受けて光源を点灯させることも好ましい。
【００３４】
これにより、煙感知時に光源を点灯させる回路が、停電時に光源を点灯させる回路と共有して設けられることができる。
【００３５】
この非常用照明器具Ａにおいて、それぞれ１乃至複数の光源からなり、常用電源からの電力供給が遮断されると点灯する第１グループと、煙感知部から煙感知信号が入力されると点灯する第２グループとを備える。そして、第１グループと第２グループとで光の照射方法が異なることが好ましい。
【００３６】
これにより、非常用照明器具Ａが、停電発生時と火災発生時とで、それぞれの場合に適した点灯光にて避難経路を照明することができるため、非常用照明器具Ａは、避難者がより安全に避難できるように避難経路を照明することができる。
【００３７】
この非常用照明器具Ａにおいて、第１グループと第２グループとで、点灯光の色を異ならせることで、第１グループと第２グループとで光の照射方法が異なることが好ましい。
【００３８】
これにより、非常用照明器具Ａが、例えば、停電発生時には演色性の高い色の点灯光で、火災発生時には透過性の高い色の点灯光で避難経路を照明することができる。そのため、非常用照明器具Ａが、停電発生時又は火災発生時に応じて、避難者がより安全に避難できるような色の照明光で避難経路を照明することができる。
【００３９】
この非常用照明器具Ａにおいて、煙感知部が所定の濃度未満の煙を感知した時の光源の光出力よりも、煙感知部が所定の濃度以上の煙を感知した時の光源の光出力の方が高いことが好ましい。
【００４０】
これにより、非常用照明器具Ａが、煙の濃度が所定の濃度以上の場合に避難経路をより高い光出力で照明して、より遠くまで光を届かせることができるため、煙の濃度が高い場合でも、避難者がより安全に避難できるように避難経路を照明することができる。
【００４１】
この非常用照明器具Ａにおいて、光源が発光ダイオードからなることが好ましい。
【００４２】
これにより、例えば蛍光灯のような電子管を光源とした場合よりも、発光ダイオードを光源とした方が、光源の経年劣化による故障や照度の低下の虞が少なくなるため、非常用照明器具としての信頼性が高くなる。
【００４３】
（実施形態２）
実施形態２の非常用照明器具Ａの構成は、実施形態１の非常用照明器具Ａの構成と比較して、発光ダイオードの点灯光の色及び光出力のみが異なるだけなので、発光ダイオードのみを説明する。
【００４４】
実施形態２では実施形態１と異なり、発光ダイオード２ａ、２ｂとで点灯光の色が同じであり、且つ、発光ダイオード２ｂの方が発光ダイオード２ａよりも光出力が高い。また、発光ダイオード２ｂの個数は５つで、発光ダイオード２ａの個数の４つよりも多い。その為、第２グループの発光ダイオード２ｂの合計の光出力の方が、第１グループの発光ダイオード２ａの合計の光出力よりも高くなる。
【００４５】
また、図１（ｂ）に示すように、発光ダイオード２ａ、２ｂが交互に配置されることにより、第１グループの発光ダイオード２ａが分散されて配置される。同様に、第２グループの発光ダイオード２ｂも分散されて配置される。これにより、第１グループの発光ダイオード２ａ又は第２グループの発光ダイオード２ｂのうち、どちらか一方が点灯している時に、他方が消灯しているため、熱が分散されて発光ダイオード２ａ又は２ｂの温度上昇が緩和される。
【００４６】
また、個々の発光ダイオード２ａ、２ｂの光出力が同じであっても、例えば発光ダイオード２ａの数を３つとし発光ダイオード２ｂの数を６つとする等、発光ダイオード２ｂの数を発光ダイオード２ａの数よりも多くする。これにより、第２グループの発光ダイオード２ｂの合計の光出力の方が、第１グループの発光ダイオード２ａの合計の光出力よりも高くなるようにしてもよい。
【００４７】
尚、本実施形態では、光源の数と、光源の光出力の両方を異ならせているが、何れか一方のみを異ならせることにより、第２グループの発光ダイオード２ｂの合計の光出力が、第１グループの発光ダイオード２ａの合計の光出力よりも高くなるようにしてもよい。
【００４８】
上述のように、この非常用照明器具Ａにおいて、第１グループと第２グループとで、各々のグループを構成する光源の数、及び、光源の光出力、のうち少なくとも何れか一方を異ならせることで、第１グループと第２グループとで光の照射方法が異なることが好ましい。
【００４９】
これにより、煙感知時に点灯される光源の点灯光を明るくすることで、光源からの光が煙で遮られたとしても、より遠くまで届かせることができるため、非常用照明器具Ａは、火災発生時でも避難者がより安全に避難できるように避難経路を照明することができる。また、火災が発生せずに停電のみが起こった場合には、点灯光の光出力が低く抑えられるため、二次電池５の電力の消費が抑えられ、非常用照明器具Ａは避難経路をより長時間照明することができる。
【００５０】
尚、本実施形態では、第１グループの発光ダイオード２ａと第２グループの発光ダイオード２ｂの点灯光が同じであるが、第１グループの発光ダイオード２ａの点灯光は演色性の高い色、第２グループの発光ダイオード２ｂの点灯光は煙に対して透過性の高い色というように、異なる色の点灯光としてもよい。
【００５１】
これにより、非常用照明器具Ａは、停電時や火災発生時に応じて、より適切な色と光出力の点灯光にて避難経路を照明することができるため、停電時でも煙発生時でも何れの場合でも、避難者がより安全に避難できるように避難経路を照明することができる。
【００５２】
以上に述べた実施形態１、実施形態２での光源は、発光ダイオードに限るものではなく、蛍光灯等の電子管や白熱灯であってもよい。
【符号の説明】
【００５３】
１  本体
２  発光面
２ａ、２ｂ  発光ダイオード（光源）
２１、２２  配線
３  制御部
４  煙感知器（煙感知部）
４１  信号線
５  二次電池（非常用電源）
５１  配線
６  常用電源
６１  電源ケーブル
Ｐ  通路
Ｒ  天井
【図１】
0005861105.tif 000002
【図２】
0005861105.tif 000003